(57)【特許請求の範囲】
【請求項１】
ベース部材と、
回転軸にギア部を設け、前記ベース部材の嵌合部に回転可能に取り付けられた回転体と、
前記ベース部材の前面側に一体的に取り付けられ前記回転体の操作位置を表示する操作パネルと、前記ベース部材の前面側で前記操作パネルを照明するように配設されたランプと、
前記ベース部材の後面側に回動可能に軸支され、前記ギア部により回転体の回転に応動して移動するラック部を有するレバー部材と、
前記ベース部材の貫通孔に前記回転軸を挿通し、前記ラック部に前記ギア部を連結させて、回転体の回転に応動させて前記レバー部材を回動させる回転式操作装置において、
前記レバー部材に前記回転軸のギア部を収容可能に一面側が開口した収容部を形成し、該収容部内に前記ラック部を形成すると共に、前記収容部の塞がれた他面側に前記ラック部に沿って円弧状に形成された長孔のガイド部と、
前記回転軸のギア部から規制軸部を延設して設け、前記回転体の所定の回転操作位置において前記規制軸部が係止される係止部を前記レバー部材のガイド部に設けたことを特徴とした回転式操作装置。
【請求項２】
前記回転体を少なくとも二つ設け、前記回転体の回転軸に設けられた前記規制軸部の形状と、前記レバー部材のガイド部に形成された前記係止部の形状を前記各回転体で異なる形状としたことを特徴とした請求項１に記載の回転式操作装置。
【発明の詳細な説明】
【０００１】
【発明が属する技術分野】
本発明は、自動車用のヒーターコントロール装置の温度調節用等に適用される回転式操作装置に関する。
【０００２】
【従来の技術】
従来、この種の回転式操作装置においては、例えば図１０（ｂ）に示すように、操作パネル１を一体的に取り付けられたベース部材２と、このベース部材２に形成された貫通孔５ａを有する嵌合部５と、嵌合部５に回転可能に取り付けられた回転軸４と、この回転軸４を回転させる回転体３を操作パネル１から露出させて、回転体３を操作することにより、ベース部材２の後面側２ｂに軸支されたレバー部材７を回動させて、レバー部材７に連結された図示しないコントロールケーブルによりヒーターコントロールユニットの温度調整等を行う自動車用のヒーターコントロール装置に用いられるものが知られている。
【０００３】
また、このような回転操作装置は回転体３の操作範囲を規制するため、図１０（ａ）に示すようにベース部材４に設けた嵌合部５の内周の一部を半径方向に突出して係止部５ｂを設けると共に、回転軸４の外周の一部を半径方向に突出させた規制突部４ａを設け、回転体３を回転すると所定の角度で規制突起４ａが係止部５ｂに当接し、回転軸５の回転が抑制される。すなわち、係止部５ｂに規制突起４ａを回転体３の所定の回転角度で当接することにより、操作パネル１の表示部１ａに表示した範囲内に回転体３の回転操作を規制して、過剰な操作によるヒーターコントロール装置の破損を防止し、正確にヒーターコントロールユニットの温度調整等を行えるようになっている。また、ベース部材２の表示パネル１が設置されない後面側２ｂには、レバー部材７や図示しないファンスイッチのコネクタハウジングや回路基板が配設されるため、図１０（ａ）に示すように係止部５ｂは操作パネル１のベース部材２の前面側２ａに突出させた嵌合部５の内周に設けられ、操作パネル１とベース部材２との間の空間内で規制突部４ａを係止部５ｂに当接するように構成されていた。
【０００４】
【発明が解決しようとする課題】
しかしながら、前記回転操作装置では、ベース部材２の前面側２ａと操作パネル１との間の限られた空間内に係止部５ｂを設け、回転体３の回転軸４に設けた規制突部４ａを係止部５ｂに当接するように構成されているため、係止部５ｂ及び規制突部４ａを十分に強度のある構造とすることができず、回転体３が過剰に操作された場合に係止部５ｂと規制突部４ａが耐えられず破壊されてしまうという問題があった。
【０００５】
また、前記の問題を解決するために、係止部５ｂと規制突部４ａを回転体３の過剰な操作に耐うる十分に強度を有する構造とする場合には係止部５ｂと規制突部４ａをある程度まで大きくする必要があるが、図１０（ａ）に示すように係止部５ｂを有する嵌合部５が設けられるベース部材２の同一面上の近傍には操作パネル１の表示部１ａを照明するランプ６が設置されている。そのため、嵌合部５を大きくしてしまうと、嵌合部５がランプ６の照明の障害となり、ランプ６からの光が遮られるため、表示部１ａに陰ができてしまったり、色ムラの原因となる等、照明に悪影響を与えてしまうという問題があった。
【０００６】
そこで本発明では、ベース部材と操作パネルとの限られた空間に関係なく、回転体の過剰な操作に耐えうることができると共に、操作パネルの表示部の照明に悪影響を与えることのない回転式操作装置を提供することを目的とする。
【０００７】
【課題を解決するための手段】
前記した課題を解決するため、本発明の第１の発明は、ベース部材と、回転軸にギア部を設け、前記ベース部材の嵌合部に回転可能に取り付けられた回転体と、前記ベース部材の前面側に一体的に取り付けられ前記回転体の操作位置を表示する操作パネルと、前記ベース部材の前面側で前記操作パネルを照明するように配設されたランプと、前記ベース部材の後面側に回動可能に軸支され、前記ギア部により回転体の回転に応動して移動するラック部を有するレバー部材と、前記ベース部材の貫通孔に前記回転軸を挿通し、前記ラック部に前記ギア部を連結させて、回転体の回転に応動させて前記レバー部材を回動させる回転式操作装置において、前記レバー部材に前記回転軸のギア部を収容可能に一面側が開口した収容部を形成し、該収容部内に前記ラック部を形成すると共に、前記収容部の塞がれた他面側に前記ラック部に沿って円弧状に形成された長孔のガイド部と、前記回転軸のギア部から規制軸部を延設して設け、前記回転体の所定の回転操作位置において前記規制軸部が係止される係止部を前記レバー部材のガイド部に設けたものである。
【０００８】
本発明によれば、回転軸に設けた規制軸部が、回転体の所定の回転操作位置においてレバー部材に設けた係止部に当接して回転体の回転を所定の回転範囲に抑止するものであるため、ベース部材と操作パネルの構造に影響されることなく、十分に強度を有する係止部を設定することができる。
【０００９】
また、操作パネルとその操作パネルを照明するランプが配設されたベース部材の前面側に係止部を設けずに、ランプの照明範囲外となるベース部材の後面側に配設されたレバー部材に係止部を設け、回転体の所定の回転操作位置において規制軸部が係止部に当接して回転体の回転を所定の回転範囲に抑止するものであるため、表示部の照明に悪影響を及ぼすことのなく、回転体の回転操作範囲を簡単な構成で設定することができる。
【００１０】
さらに、 前記回転体を少なくとも二つ設け、前記回転体の回転軸に設けられた前記規制軸部の形状と、前記レバー部材のガイド部に形成された前記係止部の形状を前記各回転体で異なる形状としておけば、回転軸をベース部材に組み付けた後でも、誤組を容易に発見することができ、誤組を確実に防止することができる。
【００１１】
【発明の実施の形態】
以下、本発明の実施形態を図面にしたがって説明する。図１は本発明の回転式操作装置を適用したヒーターコントロール装置の正面図である。図２は本発明の回転式操作装置を適用したヒーターコントロール装置の背面図である。図３（ａ）は図１において第１回転体が中間位置にあるときの側方から見た断面図である。（ｂ）はそのＡ−Ａ線断面図である。図４は図３における分解線断面図である。図５は第１回転体の回転軸の（ａ）は正面図、（ｂ）は側面図、（ｃ）は背面図、（ｄ）はＢ−Ｂ線断面図である。図６は第１レバー部材の（ａ）は正面図、（ｂ）は背面図、（ｃ）は側断面図である。図７は第２回転軸の（ａ）は正面図、（ｂ）は側面図、（ｃ）は背面図、（ｄ）は第２レバー部材の正面図、（ｅ）は第２レバー部材の背面図である。図８は（ａ）は第１回転体が図１の実線位置にあるとき、（ｂ）は第１回転体が中間位置にあるとき、（ｃ）は第１回転体が図１の点線位置にあるときの第１レバー部材と第１回転軸の規制軸部の状態を示す動作説明図である。（ｄ）は第２回転体が図１の実線位置にあるとき、（ｅ）は第２回転体が中間位置にあるとき、（ｆ）は第２回転体が図１の点線位置にあるときの第１レバー部材と第１回転軸の規制軸部の状態を示す動作説明図である。図９は（ａ）はベース部材の嵌合部の正面図、（ｂ）は側断面図である。なお、この実施の形態は自動車用のヒーターコントロール装置の例である。
【００１２】
図１乃至図４は、本発明の回転式操作装置を適用した自動車用のヒーターコントロール装置１０を示す。図３に示すようにヒーターコントロール装置１０はベース部材１１に対して、温度調節用の第１回転体２２ａの第１回転軸４０を前面側１１ａから回転可能に取り付け、第１回転体２２ａから第１回転軸４０を介して後面側１１ｂに回動可能に軸支された第１レバー部材３０を回転させることによって、図２に示す第１レバー部材３０に連結されたコントロールケーブル６１ａを移動させて図示しないヒーターコントロールユニットを制御して、車室内の温度調節を行うものである。また、図１に示す風の吹き出し口選択用の第２回転体２２ｂは回転させることにより、図２に示す第２レバー部材７０に連結されたコントロールケーブル６１ｂを移動させて図示しないヒーターコントロールユニットを制御して風の吹き出し口の選択を行うものである。なお、図１に示す符合２２ｃはエアコンのオン、オフ及び風量を調節するためのファンスイッチであり、２２ｄはコントロールケーブル６１ｃを移動させて図示しないヒーターコントロールユニットを制御し、外気の取り込みと内気循環の切換を行う切換レバーである。
【００１３】
２０はヒーターコントロール装置の操作内容を表示する温度調節用表示部２１ａ、風の吹き出し口選択用表示部２１ｂ、風量調節用表示部２１ｃ及び内外気切換用表示部２１ｄを前面に表示した操作パネルであり、各表示部に対応して後述する回転体２２ａ，２２ｂ、ファンスイッチ２２ｃ、切換レバー２２ｄが配置されるようになっている。この操作パネル２０はベース部材１１の図１に点線で示した位置に配設されたランプ６０により、暗闇で照明されて表示部２１ａ，２１ｂ，２１ｃ，２１ｄが浮かびあがるように構成されている。
【００１４】
ベース部材１１には、回転体２２ａ，２２ｂ及び操作パネル２０を前面側１１ａに一体的に固定するものである。また、ベース部材１１の後面側１１ｂにはレバー部材３０，７０を回転可能に取り付ける支軸１５が設けられている。また、図示しないヒーターユニットに接続されたコントロールケーブル６１ａ，６１ｂ，６１ｃを保持するクランプ部１７が複数設けられている。コントロールケーブル６１ａ，６１ｂは、そのインナーケーブルの一端を前記レバー部材３０，７０に接続し、コントロールケーブル６１ｃは、そのインナーケーブルを図示しない切換レバー２１ｄの一端に接続することにより、回転体２２ａ，２２ｂ及び切換レバー２１ｄの操作に応じて図示しないヒーターユニットを制御するようになっている。これらの支軸１５、クランプ部１７はベース部材１１の後面側１１ｂに後方に向かって垂直方向に突出するように設けられており、レバー部材３０，７０及びコントロールケーブル６１ａ，６１ｂ，６１ｃは後面側１１ｂ側に対して水平方向に回動或いは移動するように構成されている。なお、ベース部材１１の後面側１１ｂにはファンスイッチ２１ｃのコネクター回路部６２、ランプ６０、第２レバー部材７０によりオン、オフされるマイクロスイッチ６３が一体的に配設されている。
【００１５】
ベース部材１１には図９（ａ）及び（ｂ）に示すように回転軸４０，５０が挿通可能な貫通孔１４ａが形成された円筒状の内径を有する略箱状の嵌合部１４が設けられ、前面側１１ａの開口部１４ｂには後述する回転軸４０，５０の鍔部４１ａ，５１ａと挿入方向に当接する縁部１４ｃと、爪状に形成された弾性保持部１３が対向して設けられている。すなわち、図３（ｂ）に示すように回転軸４０，５０を鍔部４１ａ，５１ａと弾性保持部１３との間に保持することにより、回転体２２ａ，２２ｂが回転可能にベース部材１１に軸支されることになる。なお、図３及び図９は回転軸４０に対応する嵌合部１４を示した図であるが、同様に、回転軸５０側にも嵌合部１４、開口部１４ｂ、縁部１４ｃ、弾性保持部１３が設けられている。
【００１６】
また、図３及び図４に示すように一端が取付孔１８に固定されたクリック用板バネ１２が、バネ突部１２ａが設けられた他端を嵌合部１４内に開口部１４ｂに向かって突出するように傾斜して取り付けられている。このクリック用板バネ１２は回転体２２ａ，２２ｂを回転させることにより、バネ突部１２ａが後述する回転軸４０，５０に形成されているクリック溝部４２ａ，５２ａからクリック凸部４２ｂ，５２ｂを乗り越えるように移動し、回転軸４０，５０に所定の過重を付加して回転軸４０，５０の回転操作に操作感を与えるものである。なお、本実施例はクリック用板バネ１２のバネ突部１２ａを回転軸４０，５０のクリック溝部４２ａ，５２ａからクリック突部４２ｂ，５２ｂを乗り越えるように構成したものであるが、ベース部材１１に取付穴部を形成し、その取付穴部にコイルスプリングとボール部材を挿入し、ボール部材がコイルスプリングの付勢力に抗してクリック溝部４２ａ，５２ａからクリック突部４２ｂ，５２ｂを乗り越えるように構成してもよい。
【００１７】
図５には第１回転体２２ａに一体的に固定される第１回転軸４０を示す。４０ａは第４図に示す第１回転体２２ａの係合凹部２３に係合する係合凸部であり、図５（ａ）に示すように略小判状断面をもつ先端部分４７の平面部に設けられている。第１回転体２２ａの係合凹部２３に第１回転体２２ａの係合凸部４０ａを嵌合することにより、第１回転体２２ａと第１回転軸４０が一体的に固定される。４１ａは第１回転軸４０を貫通孔１４ａに挿通したときに嵌合部１４の縁部１４ｃに当接して、縁部１４ｃと前記したベース部材１１の弾性保持部１３の間に回動可能に保持される鍔部であり、この鍔部４１ａの同軸上に拡径部４１ｂ有する円柱状の胴部４１が鍔部４１ａを挟んで先端部分４７の対向側に延設されており、その胴部４１のほぼ中央部にクリック溝部４２ａとクリック凸部４２ｂが円周方向に連なって形成されている。さらに胴部４１の後部側には第１ギア部４３が設けられており、この第１ギア部４３から後述する第１レバー部材３０との組付けの位置決めを行う位置決めリブ４６と、第１レバー部材３０の係止部３１ａ，３１ｂに係合可能な規制軸部４５が同軸上に延設されて設けられている。本実施例では規制軸部４５を略半円筒状に形成すると共に、その規制軸部４５の対向する位置に位置決めリブ４６を半径方向に突出するように略平板状に形成し、規制軸部４５と位置決めリブ４６を第１ギア部４３から延設するように一体的に設けている。なお、４０ｂは第１回転体２２ａとの組み付け方向の誤組を防止するための誤組防止リブである。
【００１８】
図６（ａ）乃至（ｃ）に第１レバー部材３０を示す。この第１レバー部材３０は上面部３０ａと側面部３０ｂで囲まれた収容部３０ｃを有する略扇状の箱型に形成されている。３３はベース部材１１の支軸１５に回転可能に取り付けられる取付筒部であり、第１レバー部材３０の収容部３０ｃが形成されている背面側に突出するように設けられている。また、図６（ｂ）に示すように第１レバー部材３０の背面側には第１ギア部４３に噛み合い可能な第１ラック部３２が収容部３０ｃ内に取付筒部３３を中心として円弧状に設けられている。また、その第１ラック部３２の略中央部の一部を上面部３０ａに貫通して位置決め孔３１ｃが設けられている。この位置決め孔３１ｃは第１回転軸４０の位置決めリブ４６と係合可能に形成されており、位置決めリブ４６と位置決め孔３１ｃを一致させるように第１回転軸４０と第１レバー部材３０をベース部材１１に取り付けることにより、第１回転軸４０の第１ギア部４３と第１レバー部材３０の第１ラック部３２が相互に位置決めされることになる。その位置決め孔３１ｃに連続して第１ラック部３２に沿うように上面部３０ａに長孔のガイド部３１が円弧状に形成され、その両端部に第１回転軸４０の規制軸部４５が係合可能な係止部３１ａ，３１ｂが設けられている。３４はコントロールケーブル６１ａのインナーケーブルが接続される接続部である。
【００１９】
組み立てに際しては図４に示すように第１回転体２２ａに第１回転軸４０の先端部分４７を挿入して、係合凸部４０ａを係合凹部２３に嵌合することにより第１回転体２２ａに第１回転軸４０を一体的に固定する。そしてベース部材１１の嵌合部１４の近傍に設けられた取付孔１８にクリック用板バネ１２の一端を差し込み、取付孔１８の内周にクリック用板バネ１２の一端に形成された爪部１２ｂを引っかけるようにして取り付け、クリック用板バネ１２のバネ突部１２ａを嵌合部１４内で開口部１４ｂに対向するように突出して傾斜した状態で固定する。そして、ベース部材１１の前面側１１ａから嵌合部１４の貫通孔１４ａに第１回転軸４０を挿通し、弾性保持部１３の間に押し込み、第１回転軸４０の鍔部４１ａを嵌合部１４の縁部１４ｃに当接させて、鍔部４１ａの外周を弾性保持部１３と縁部１４ｃとの間に回転可能に固定する。なお、第１回転軸４０の拡径部４１ｂを嵌合部１４の内周とほぼ同径とし、胴部４１を貫通孔１４ａとほぼ同径とすることにより、第１回転軸４０は嵌合部１４にガタツキ無く保持されることになる。また、クリック用板バネ１２は第１回転軸４０と嵌合部１４の内周面間に保持され、第１回転軸４０の回転に応じてクリック溝部４２ａとクリック凸部４２ｂにバネ突部１２ａを弾性的に当接させることにより、第１回転軸４０の回動応じて所定の過重をかけるように作用する。
【００２０】
次に第１回転体２２ａを回転させて、図８（ｂ）に示す位置に位置決めリブ４６を位置するように第１回転体２２ａを治具等で固定する。そして、第１レバー部材３０の位置決め孔３１ｃを位置決めリブ４６に一致させて、取付筒部３３をベース部材１１の支軸１５に組み付ける。第１レバー部材３０は取付筒部３３の内周面に形成された段部３３ａを支軸１５の弾性爪部１６に嵌合させることにより、支軸１５に回転可能に軸支される。このとき、第１回転軸４０の第１ギア部４３を収容部１１ｃに収容し、第１ラック部３２に連結させる。また、規制軸部４５をガイド溝部３１に挿通して、係合部３１ａ，３１ｂに係合可能に位置させる。
【００２１】
そして、操作パネル２０をベース部材１１の前面側１１ａに第１回転体２２ａを表示部２１ａに一致するように取り付ける。すなわち、図３に示すように第１回転体２２ａを回転操作すると、第１ギア部４３が第１ラック部を連動してベース部材１１の後面側１１ｂに軸支された第１レバー部材３０を回転させ、さらに第１レバー部材３０に連結されたコントロールケーブル６１ａのインナーケーブルを第１レバー３０の回転に応じて移動させることにより、図示しないヒーターコントロールユニットを制御するように構成される。
【００２２】
次に前記ヒーターコントロール装置１０の第１回転体２２ａを回転操作したときの第１回転軸４０とレバー部材３０の動作を説明する。
【００２３】
図８（ａ）乃至図８（ｃ）に、第１回転軸４０と第１レバー部材３０の動作を示す。前記のように図８（ｂ）に示す位置に位置決めリブ４６を固定して、第１回転軸４０に第１レバー部材３０を組み付ける。このとき、位置決め孔３１ｃに位置決めリブ４６が一致するように係合させる。この状態から第１回転体２２ａを図１おいて時計方向に回動すると、図２において第１ギア部４３の回転に連動して第１ラック部３２が反時計方向に移動するため、第１レバー部材が支軸１５を中心に反時計方向に回転する。そして、第１回転体２２ａを所定角度回転させると、図８（ａ）に示すように規制軸部４５が係止部３１ｂに当接することにより、第１回転体２２ａの回転が抑止される。また、第１回転体２２ａを図１おいて反時計方向に回転した場合には規制軸部４５が係止部３１ａに当接することによって、第１回転体２２ａの回転が所定角度で抑止されることとなる。
【００２４】
このように第１回転体２２ａの操作範囲を第１回転軸４０の規制軸部４５と第１レバー部材３０の係止部３１ａ，３１ｂを当接させることにより規制する構成とすることによって、従来技術のようにベース部材と操作パネルとの間の空間内に第１回転体２２ａの操作範囲を規制する係止部３１ａ，３１ｂと規制軸部４５を設ける必要がないため、ベース部材１１と操作パネル２０の構造に影響されることなく、十分に強度を有する係止部３１ａ，３１ｂと規制軸部４５を設定することができる。
【００２５】
なお、上記は温度調節用の第１回転体２２ａについて説明したが、風の吹き出し口選択用の第２回転体２２ｂについても同じに構造とすることができる。本実施例では図７（ａ）乃至（ｃ）に示すように第１回転軸４０の位置決めリブ４６と第２回転軸５０の位置決めリブ５５は回転体２２ａ，２２ｂに対して角度が約９０度ずれた位置に設定されている。また、第２回転体２２ｂの第２回転軸５０における規制軸部５４を略円柱状とし、その一部に第１回転軸４０と同様に位置決めリブ４６を半径方向に突出するように略平板上に一体的に形成している。このように規制軸部４５，５４の形状を第１回転軸４０と第２回転軸５０で異ならせることにより、二つの回転軸４０，５０のクリック溝部４２ａ，５２ａ、クリック凸部４２ｂ，５２ｂ及びギア部４３、５３を異なる設定としている場合にベース部材１１に回転軸４０，５０を組み付けた後でも誤組を容易に発見することができ、誤組を確実に防止することができる。なお、第２回転軸５０は機能的に第１回転軸３０とかわるものではなく、５１ａは鍔部、５１ｂは拡径部、５１は胴部、５７は先端部分を示す。
【００２６】
図７（ｄ）及び（ｅ）に第２レバー部材７０を示す。第２レバー部材７０も第２回転体２２ｂの操作範囲にあわせてガイド溝部７１、第２ラック部７２が設定されている以外は、機能的に第１レバー部材３０と同じであり、７０ａは上面部、７０ｂは収容部、７０ｃは側面部、７１ｃは位置決め孔、７１ａ、７１ｂは係止部、７４はコントロールケーブル６１ｂのインナーケーブルが接続される接続部である。なお、７５は吹き出し口をフロントガラスの曇り取りを選択した場合にベース部材に配設されているマイクロスイッチをオンに切り替えるための肩部であり、ファンスイッチ２２ｃのエアコンスイッチのオン、オフに関わらず、強制的にエアコンスイッチをオンとするものである。
【００２７】
また、組み立てについても第１回転体２２ａと同じように、第２回転体２２ｂに回転軸５０を一体的に組み付けた後、図８（ｅ）に示す位置に位置決めリブ５５が位置するように第２回転体２２ｂを治具などにより回転して固定する。そして、第２レバー部材７０の位置決め孔７１ｃを位置決めリブ５５に一致するようにしてベース部材１１の支軸１５に組み付ければよい。
【００２８】
図８（ｄ）乃至図８（ｆ）に、回転体２２ａ，２２ｂを回転操作したときの第２回転軸５０と第２操作レバー７０の動作を示す。図８（ｅ）示す位置に位置決めリブ５５を固定して、第２回転軸５０に第２レバー部材７０を組み付ける。このとき、位置決め孔７１ｃに位置決めリブ５５を一致するように係合させる。この状態から第２回転体２２ｂを図１おいて時計方向に回動すると、第２ギア部５３に第２ラック部７２が連動して移動することにより、図２において反時計方向に第２レバー部材７０が支軸１５を中心に回転する。そして、第２回転体２２ｂを所定角度回転させると、図８（ｄ）に示すように規制軸部５４が係止部７１ａに当接することにより、第２回転体２２ｂの回転が抑止される。また、第２回転体２２ｂを図１において反時計方向に回転した場合には規制軸部５４が係止部７１ｂに当接することによって、第２回転体２２ｂ回転が所定角度で抑止される。
【００２９】
また、ベース部材１１の前面側１１ａに一体的に回転体２２ａ，２２ｂの操作位置を表示する操作パネル２０設け、ベース部材１１の前面側１１ａに操作パネル２０を照明するランプ６０を配設した場合でも、回転体２２ａ，２２ｂの回転範囲をベース部材１１の後面側１１ｂに配設したレバー部材３０，７０と回転軸４０，５０の規制軸部４５，５４で規制することにより、操作パネル２０とべース部材１１の前面側１１ａとの空間内には表示部２１の照明の障害となる係止部３１ａ，３１ｂ，７１ａ，７１ｂと規制軸部４５，５４を設ける必要がないため、操作パネル２０とベース部材１１の前面側１１ａの間に十分な広さの空間を形成できない場合でも、ベース部材１１の前面側１１ａをランプ６０からの光を確実に表示部２１ａ，２１ｂ，２１ｃ，２１ｄに導くように構成することができる。
【００３０】
【発明の効果】
以上の説明から明らかなように、本発明に係る回転操作装置は、ベース部材と、回転軸にギア部を設け、前記ベース部材の嵌合部に回転可能に取り付けられた回転体と、前記ベース部材の前面側に一体的に取り付けられ前記回転体の操作位置を表示する操作パネルと、前記ベース部材の前面側で前記操作パネルを照明するように配設されたランプと、前記ベース部材の後面側に回動可能に軸支され、前記ギア部により回転体の回転に応動して移動するラック部を有するレバー部材と、前記ベース部材の貫通孔に前記回転軸を挿通し、前記ラック部に前記ギア部を連結させて、回転体の回転に応動させて前記レバー部材を回動させる回転式操作装置において、前記レバー部材に前記回転軸のギア部を収容可能に一面側が開口した収容部を形成し、該収容部内に前記ラック部を形成すると共に、前記収容部の塞がれた他面側に前記ラック部に沿って円弧状に形成された長孔のガイド部と、前記回転軸のギア部から規制軸部を延設して設け、前記回転体の所定の回転操作位置において前記規制軸部が係止される係止部を前記レバー部材のガイド部に設けたものである。
【００３１】
したがって、ベース部材に回転体の回転を所定の回転操作位置において抑止する係止部を設ける必要がないため、ベース部材の構造を簡略化でき、回転体の回転操作範囲の設定が異なる場合でも、回転軸とレバー部材の構造を変更すればよいので、ベース部材は変更する必要がなく、共用化することができる。
そのため、ベース部材の前面側に一体的に前記回転体の操作位置を表示する操作パネル取り付け、ベース部材の前面側で操作パネルを照明するランプを配設して、操作パネルとベース部材の前面側との間の空間を十分にとれない場合でも、操作パネルの照明に悪影響を及ぼすことのなく、回転体の回転操作範囲を簡単な構成で設定することができる。
【００３２】
また、少なくとも二つの回転軸及びレバー部材を設け、それぞれ異なる設定としている場合でも、二つ設けた規制軸部の形状を異なる形状とすることにより、回転軸をベース部材に組み付けた後でも誤組を容易に発見することができ、誤組を確実に防止することができる。
【図面の簡単な説明】
【図１】本発明の回転式操作装置を適用したヒーターコントロール装置の正面図である。
【図２】本発明の回転式操作装置を適用したヒーターコントロール装置の背面図である。
【図３】（ａ）は図１において第１回転体が中間位置にあるときの側方から見た断面図である。（ｂ）はＡ−Ａ線断面図である。
【図４】図３における分解線断面図である。
【図５】第１回転体の回転軸の（ａ）は正面図、（ｂ）は側面図、（ｃ）は背面図、（ｄ）はＢ−Ｂ線断面図である。
【図６】第１レバー部材の（ａ）は正面図、（ｂ）は背面図、（ｃ）は側断面図である。
【図７】第２回転体の回転軸の（ａ）は正面図、（ｂ）は側面図、（ｃ）は背面図、（ｄ）は第２レバー部材の正面図、（ｅ）は背面図である。
【図８】（ａ）は第１回転体が図１の実線位置にあるとき、（ｂ）は第１回転体が中間位置にあるとき、（ｃ）は第１回転体が図１の点線位置にあるときの第１レバー部材と第１回転軸の規制軸部の状態を示す動作説明図である。（ｄ）は第２回転体が図１の実線位置にあるとき、（ｅ）は第２回転体が中間位置にあるとき、（ｆ）は第２回転体が図１の点線位置にあるときの第１レバー部材と第１回転軸の規制軸部の状態を示す動作説明図である。
【図９】（ａ）はベース部材の嵌合部の正面図、（ｂ）は側断面図である。
【図１０】（ａ）は従来のヒーターコントロール装置における回転操作装置の構成部分を示す側断面図である。（ｂ）はＣ−Ｃ線断面図である。
【符号の説明】
１１    ベース部材
１４    嵌合部
１４ａ    貫通孔
２０    操作パネル
２１ａ，２１ｂ，２１ｃ，２１ｄ    表示部
２２ａ    第１回転体
２２ｂ    第２回転体
３０    第１レバー部材
３１ａ，３１ｂ，７１ａ，７１ｂ    係止部
３２    第１ラック部
４３    第１ギア部
４５，５４    規制軸部
５３    第２ギア部
６０    ランプ
７０    第２レバー部材
７２    第２ラック部
【図１】
0004064096.tif 000002
【図２】
0004064096.tif 000003
【図３】
0004064096.tif 000004
【図４】
0004064096.tif 000005
【図５】
0004064096.tif 000006
【図６】
0004064096.tif 000007
【図７】
0004064096.tif 000008
【図８】
0004064096.tif 000009
【図９】
0004064096.tif 000010
【図１０】
0004064096.tif 000011